(57)【要約】【課題】  遊技制御回路基板に対する不正を防止するとともに、遊技制御回路基板を検査する際の作業性を向上できる遊技機を提供する。【解決手段】  開放防止突起２４５がスライド封印部材２２０から板状部２２１の切欠部２２２ではない部分に覆われる位置にある封止状態で「１」の刻印が形成されたスライド切除部２２３を切除してスライド封印部材２２０をスライド可能な状態にして、切欠部２２２の位置を開放防止突起２４５が挿通可能な挿通可能位置となるようにスライド封印部材２２０をスライドさせてボックス状主体１９０とカバー体２１０とを取外し可能な開封可能状態とするため、主基板１５１に対する不正行為を行うにはスライド切除部２２３を切除しなければならず、スライド切除部２２３を切除した場合にはその痕跡が残るため、簡単にボックス状主体１９０とカバー体２１０との固着状態を痕跡を残さずには解除することはできず、不正行為を抑止できる。【選択図】  図９
2006000231.tif 000002
【特許請求の範囲】
【請求項１】
回路基板を収容する基板収容ボックスを備えた遊技機において、
前記基板収容ボックスは、前記回路基板が支持される主体と、少なくとも該主体に支持された回路基板を被覆する蓋体と、から構成され、
前記主体または前記蓋体のいずれか一方の外面の所定辺に沿って設けられたレール状のレール状沿設部に一方向にのみスライド可能なスライド封印部材が取り外し不能に装着され、他方の外面に前記主体と前記蓋体とを組み合わせたときに前記スライド封印部材の下方となる位置に開放防止突起を設け、さらに前記主体または前記蓋体のいずれかの外面に前記主体と前記蓋体とを組み合わせたときに前記スライド封印部材の上方となる位置にスライド防止突起を設け、
前記スライド封印部材は、前記主体または前記蓋体のいずれか一方の外面に向かって突設される板状部と、該板状部の複数箇所に設けられた切欠部と、該複数の切欠部の間に前記板状部の外面から外側に突設された人為的に切除可能な複数のスライド切除部と、を備え、
前記主体と蓋体とを組み合わせるときに前記開放防止突起が挿通可能な挿通可能位置に前記切欠部がある状態で前記開放防止突起を前記切欠部に挿通させて前記板状部の下方に位置させた後、前記スライド封印部材を前記開放防止突起が前記切欠部ではない前記板状部により覆われる位置までスライドして前記開放防止突起が前記切欠部を挿通不能な挿通不能位置にすることにより前記主体に対して前記蓋体を取外し不能な封止状態とするとともに、
前記スライド切除部を切除した後、前記スライド封印部材をスライドさせて次の前記切欠部を前記挿通可能位置とし、前記主体に対して前記蓋体を取外し可能な開封可能状態とし得ることを特徴とする遊技機。
【請求項２】
前記スライド封印部材または前記レール沿設部のいずれか一方に複数の逆方向スライド防止爪が並設された滑脱防止部を設け、他方に前記複数の逆方向スライド防止爪のいずれかと係合する係合フック部を設け、
前記スライド封印部材の前記一方向へのスライドは前記係合フック部と前記逆方向スライド防止爪とが係合することなくなされ、前記一方向とは逆の逆方向へのスライドは前記係合フック部と前記逆方向スライド防止爪との係合により防止され、
前記切欠部が前記挿通可能位置にあるときに、前記係合フック部と前記逆方向スライド防止爪とが係合した状態となることにより前記切欠部が前記挿通可能位置にある状態で前記スライド封印部材が停止されることを特徴とする請求項１記載の遊技機。
【請求項３】
前記主体または前記蓋体のうち前記開放防止突起が設けられた一方に前記スライド防止突起を設けたことを特徴とする請求項１または請求項２に記載の遊技機。
【請求項４】
前記主体に前記スライド封印部材が取り付けられるレール状沿設部を設けたことを特徴とする請求項１乃至請求項３のいずれかに記載の遊技機。
【発明の詳細な説明】
【技術分野】
【０００１】
本発明は、回路基板を収容する基板収容ボックスを備えた遊技機に関するものである。
【背景技術】
【０００２】
遊技機として、遊技媒体を用いて遊技を行い、識別情報の可変表示を行って所定の表示結果となったときに特定遊技状態を発生させる弾球遊技機やスロットマシン等がある。特定遊技状態とは、所定の遊技価値が付与された遊技者にとって有利な状態を意味する。具体的には、例えば、遊技者にとって有利な状態となるための権利が発生した状態、景品遊技媒体払出の条件が成立しやすくなる状態、などの所定の遊技価値が付与された状態が特定遊技状態である。
【０００３】
このような遊技機には、多くの回路基板が設けられている。特に、遊技の進行を制御する遊技制御回路基板にはマイクロコンピュータ（例えば、ＣＰＵ、ＲＯＭ、ＲＡＭ、Ｉ／Ｏポート部、等の周辺回路）が搭載される。そして、マイクロコンピュータの遊技の進行を制御するプログラムが格納されるＲＯＭを交換することにより、多くの場合異なる遊技内容を実現することが可能となる。
【０００４】
そのため、遊技制御回路基板は、通常、回路基板ボックス内に封止状態で設けられ、ＲＯＭ交換などの不正行為を防止するようになっていた。また、回路基板ボックスは、遊技制御回路基板を支持する透明合成樹脂製のボックス状主体と、遊技制御回路基板を被覆する透明合成樹脂製のカバー体と、から構成されたものが数多く提案されている。このような回路基板ボックスでは、ボックス状主体とカバー体との両方に設けられた取付部に一方向にのみ回転可能なワンウェイネジで螺着することによりボックス状主体とカバー体とを固着し、取付部を切断しない限りボックス状主体とカバー体との固着状態を解除できず、遊技制御回路基板に対する不正を防止するものが提案されている（例えば、特許文献１参照）。
【特許文献１】特開２００２−３５３７４号公報（第７−１１頁、第６図）
【発明の開示】
【発明が解決しようとする課題】
【０００５】
ところが、上記した回路基板ボックスでは、ボックス状主体とカバー体とを固着するときにネジ等の別部材を用いて行うため、ネジの紛失の虞があるとともに、ネジ等を固着する際に工具を要し、ネジで螺着した取付部自体でボックス状主体とカバー体とを固着していたために取付部に強度が求められ、固着状態を解除する際に取付部を切断するときにも別の工具等が必要であった。また、切断部がボックス状主体およびカバー体と一体的に形成されるため、全ての切断部を切断した場合には、ボックス状主体とカバー体との再利用ができなかった。本発明は、上記した事情に鑑みなされたもので、その目的とするところは、遊技制御回路基板に対する不正を防止するとともに、遊技制御回路基板を検査する際の作業性を向上できる遊技機を提供することにある。
【課題を解決するための手段】
【０００６】
上記目的を達成するために、請求項１の発明においては、回路基板（例えば、主基板１５１）を収容する基板収容ボックス（例えば、主基板ボックス１５０）を備えた遊技機（例えば、弾球遊技機１）において、前記基板収容ボックスは、前記回路基板が支持される主体（例えば、ボックス状主体１９０）と、少なくとも該主体に支持された回路基板を被覆する蓋体（例えば、カバー体２１０）と、から構成され、前記主体または前記蓋体のいずれか一方の外面の所定辺に沿って設けられたレール状のレール状沿設部（例えば、レール沿設部２３５）に一方向にのみスライド可能なスライド封印部材（例えば、スライド封印部材２２０）が取り外し不能に装着され、他方の外面に前記主体と前記蓋体とを組み合わせたときに前記スライド封印部材の下方となる位置に開放防止突起（例えば、開放防止突起２４５）を設け、さらに前記主体または前記蓋体のいずれかの外面に前記主体と前記蓋体とを組み合わせたときに前記スライド封印部材の上方となる位置にスライド防止突起（例えば、スライド防止突起２４６）を設け、前記スライド封印部材は、前記主体または前記蓋体のいずれか一方の外面に向かって突設される板状部（例えば、板状部２２１）と、該板状部の複数箇所に設けられた切欠部（例えば、切欠部２２２）と、該複数の切欠部の間に前記板状部の外面から外側に突設された人為的に切除可能な複数のスライド切除部（例えば、スライド切除部２２３）と、を備え、前記主体と蓋体とを組み合わせるときに前記開放防止突起が挿通可能な挿通可能位置に前記切欠部がある状態（例えば、図９（Ｅ）の状態）で前記開放防止突起を前記切欠部に挿通させて前記板状部の下方に位置させた後、前記スライド封印部材を前記開放防止突起が前記切欠部ではない前記板状部により覆われる位置までスライドして前記開放防止突起が前記切欠部を挿通不能な挿通不能位置にすることにより前記主体に対して前記蓋体を取外し不能な封止状態（例えば、図９（Ｃ）の状態）とするとともに、前記スライド切除部を切除した後（例えば、図９（Ｄ）の状態とした後）、前記スライド封印部材をスライドさせて次の前記切欠部を前記挿通可能位置とし、前記主体に対して前記蓋体を取外し可能な開封可能状態（例えば、図９（Ｅ）の状態）とし得ることを特徴とする。
【０００７】
また、請求項２の発明においては、前記スライド封印部材または前記レール沿設部のいずれか一方に複数の逆方向スライド防止爪（例えば、逆行防止突部２２４）が並設された滑脱防止部（例えば、スライド封印部材２２０の中空部のレール沿設部２３５の先端面と対向する内側面）を設け、他方に前記複数の逆方向スライド防止爪のいずれかと係合する係合フック部（例えば、逆行防止フック２３８）を設け、前記スライド封印部材の前記一方向（例えば、図９にて図示左方向）へのスライドは前記係合フック部と前記逆方向スライド防止爪とが係合することなくなされ、前記一方向とは逆の逆方向（例えば、図９にて図示右方向）へのスライドは前記係合フック部と前記逆方向スライド防止爪との係合により防止され、前記切欠部が前記挿通可能位置にあるときに、前記係合フック部と前記逆方向スライド防止爪とが係合した状態となる（例えば、図９（Ｅ）にて逆行防止突部２２４と逆行防止フック２３８とが係合した状態となる）ことにより前記切欠部が前記挿通可能位置にある状態で前記スライド封印部材が停止されることを特徴とする
また、請求項３の発明においては、前記主体または前記蓋体のうち前記開放防止突起が設けられた一方に前記スライド防止突起を設けた（例えば、開放防止突起２４５およびスライド防止突起２４６をカバー体２１０に突設する）ことを特徴とする。
【０００８】
また、請求項４の発明においては、前記主体に前記スライド封印部材が取り付けられるレール状沿設部を設けた（例えば、ボックス状主体１９０にレール沿設部２３５を突設し、レール沿設部２３５の上側突起２３６および下側突起２３７と、スライド封印部材２２０の中空部の内側面と、が係合することによりボックス状主体１９０にスライド封印部材２２０を取り付ける）ことを特徴とする。
【発明の効果】
【０００９】
請求項１に係る発明においては、主体または前記蓋体のいずれか一方の外面の所定辺に沿って設けられたレール状沿設部に一方向にのみスライド可能なスライド封印部材を取り外し不能に装着し、主体と蓋体とを組み合わせるときに開放防止突起が挿通可能な挿通可能位置に切欠部がある状態で開放防止突起を切欠部に挿通させて板状部の下方に位置させた後、スライド封印部材を開放防止突起が切欠部ではない板状部により覆われる位置までスライドして開放防止突起が切欠部を挿通不能な挿通不能位置にすることにより主体に対して蓋体を取外し不能な封止状態とするとともに、スライド切除部を切除した後、スライド封印部材をスライドさせて次の切欠部を挿通可能位置とし、主体に対して蓋体を取外し可能な開封可能状態とし得るため、回路基板に対する不正行為を行うにはスライド切除部を切除しなければならず、スライド切除部を切除した場合にはその痕跡が残るため、簡単に主体と蓋体との固着状態を解除することはできず、不正行為を抑止することができるとともに不正行為が行われたときには当該不正行為の発見が容易となる。また、スライド切除部が主体及び蓋体とは別に設けられるため、スライド切欠部全てを切除した場合であってもスライド封印部材を交換することにより主体および蓋体を再利用可能となる。さらに、スライド切除部を切除した後、スライド封印部材をスライドすることにより封止状態となるため、開封可能状態から封止状態にするときに工具等の必要性がなく、また、従来のように封止状態から開封可能状態にするときに切除や切断して破壊する部分で主体に蓋体を固着しないため、切除する部分を比較的脆弱に作ることが可能となり、開封可能状態とするために工具等を要しない設計が可能となるため、さらに作業性が向上する。
【００１０】
また、請求項２に係る発明においては、スライド封印部材の一方向へのスライドは係合フック部と逆方向スライド防止爪とが係合することなくなされ、一方向とは逆の逆方向へのスライドは係合フック部と逆方向スライド防止爪との係合により防止され、切欠部が挿通可能位置にあるときに、係合フック部と逆方向スライド防止爪とが係合した状態となることにより切欠部が挿通可能位置にある状態でスライド封印部材が停止されるため、開封可能状態となったときに意図に反して封止状態になることを防止でき、開封可能状態での作業性が向上する。
【００１１】
また、請求項３に係る発明においては、主体または蓋体のうち開放防止突起が設けられた一方にスライド防止突起を設けたため、開放防止突起およびスライド防止突起を一体的に形成でき、成型が容易になる。また、開放防止突起とスライド防止突起とが比較的近い位置に設けられるため、スライド封印部材の操作中における開放防止突起、スライド防止突起、および、スライド切除部の位置関係を容易に把握でき、作業性が向上する。
【００１２】
また、請求項４に係る発明においては、一般的に回路基板が支持される主体は各種ＩＣが実装された基板を収容するために蓋体よりも深さ方向の厚みが大きく構成され、スライド封印部材を設けたとしてもスライド封印部材を取り付けるためにその外側もスライド封印部材の大きさにあわせて厚みを増す必要がない。そのため、主体にスライド封印部材が取り付けられるレール状沿設部を設けたことにより基板ボックス全体の厚みを増大させることなく基板ボックスを成型できる。
【発明を実施するための最良の形態】
【００１３】
以下、本発明の一実施形態について、図面を参照して説明する。まず、遊技機の一例である弾球遊技機１の全体の構成について説明する。図１は弾球遊技機１を正面からみた正面図である。なお、ここでは、遊技機の一例として弾球遊技機を示すが、本発明は弾球遊技機に限られず、例えば、画像式の遊技機、コイン遊技機、及び、スロット機、等であってもよい。
【００１４】
弾球遊技機１は、縦長の方形状に形成された外枠２と、外枠２の内側に開閉可能に取り付けられた遊技枠とで構成される。また、弾球遊技機１は、遊技枠に開閉可能に設けられている額縁状に形成されたガラス扉枠５を有する。遊技枠は、外枠２に対して開閉自在に設置される前面枠４と、機構部品等が取り付けられる機構板１００と、それらに取り付けられる種々の部品（後述する遊技盤９を除く）と、を含む構造体である。
【００１５】
図１に示すように、弾球遊技機１は、額縁状に形成されたガラス扉枠５を有する。ガラス扉枠５の下部表面には打球供給皿（上皿）６がある。打球供給皿６の下部には、打球供給皿６に収容しきれない遊技球を貯留する余剰球受皿７、打球を発射する打球操作ハンドル（操作ノブ）８が設けられている。また、ガラス扉枠５の背面には、遊技盤９が着脱可能に取り付けられている。なお、遊技盤９は、それを構成する板状体と、その板状体に取り付けられた種々の部品とを含む構造体である。また、遊技盤９の前面には打ち込まれた遊技球が流下可能な遊技領域１０が形成されている。
【００１６】
遊技領域１０の中央付近には、所定の始動条件の成立（例えば、打球が始動入賞口１４へ入賞）にもとづいて各々が識別可能な複数種類の識別情報（例えば、特別図柄１２ａ〜１２ｃ）の可変表示を行って表示結果を導出表示する可変表示装置１１を備えている。本実施形態では、可変表示装置１１は液晶表示装置（ＬＣＤ）により構成され、その中央には特別図柄１２ａ〜１２ｃを可変表示する表示部１２が設けられている。この表示部１２は、左・中・右の３つの表示領域に識別情報（例えば、特別図柄１２ａ〜１２ｃ）が表示制御されるものである。
【００１７】
なお、本実施形態における弾球遊技機１は、遊技制御用マイクロコンピュータが始動入賞発生時（例えば、始動入賞口１４へ打球が入賞する）に所定周期で更新（カウントアップ）する大当り判定用乱数カウンタから大当り判定用乱数を抽出し、可変表示装置２１にて特別図柄１２ａ〜１２ｃの可変表示を開始するときに大当り判定値と合致する旨の判定がなされたことにもとづいて表示部１２に特定表示結果（大当り図柄）を表示した後に遊技者にとって有利な特定遊技状態としての大当り遊技状態に制御する機能を有する。
【００１８】
また、表示部１２の上方左右には、始動条件が成立（打球が始動入賞口１４へ入賞）したときに抽出された大当り判定用乱数の抽出順番を特定可能に記憶する保留記憶手段としての保留記憶バッファ（例えば、主基板１５１に搭載されるＲＡＭ５５により大当り判定用乱数等を記憶する機能）に記憶された大当り判定用乱数の記憶数（保留記憶数）を特定可能に表示する特別図柄保留記憶表示器１３が設けられている。この特別図柄保留記憶表示器１３は、４つのＬＥＤによって構成され、有効始動入賞（この実施の形態では、保留記憶バッファに記憶される数値データの記憶数が４未満のときの始動入賞）がある毎にＬＥＤを点灯させ、特別図柄１２ａ〜１２ｃの可変表示が開始される毎に点灯しているＬＥＤを１減らす。
【００１９】
また、この実施の形態では、保留記憶バッファに記憶される数値データの記憶数（保留記憶数）を表示する特別図柄保留記憶表示器１３が表示部１２とは別個に設けられているが、表示部１２に保留記憶バッファに記憶される数値データの記憶数（保留記憶数）を表示する特別図柄保留記憶表示エリアを設ける構成としてもよい。この場合には、表示部１２と特別図柄保留記憶表示エリアとを区分けして設けることで、特別図柄１２ａ〜１２ｃの可変表示中も特別図柄保留記憶表示エリアにて保留記憶バッファに記憶された数値データの記憶数（保留記憶数）を表示した状態とすることができる。また、保留記憶表示エリアを表示部１２の一部に設けるようにしてもよく、この場合には、可変表示中は保留記憶バッファに記憶される数値データの記憶数（保留記憶数）の表示を中断するようにすればよい。
【００２０】
可変表示装置１１の下方には、遊技球が入賞可能な始動入賞口１４を有する可変入賞装置１５が設けられている。始動入賞口１４に入った入賞球は、遊技盤９の背面に導かれ、始動口スイッチ６２によって検出される。可変入賞装置１５は、ソレノイド６６によって開状態とされる。ソレノイド６６により可変入賞装置１５が開状態となることにより、遊技球が始動入賞口１４に入賞し易くなり（始動入賞し易くなり）、遊技者にとって有利な状態となる。
【００２１】
可変入賞装置１５の下方には、表示部１２に特定表示結果（大当り図柄）が導出表示されたことにもとづく特定遊技状態（大当り遊技状態）においてソレノイド６７によって開状態とされる特別可変入賞装置２０が設けられている。特別可変入賞装置２０は、内部に大入賞口を備え、大入賞口を開閉する手段である。特別可変入賞装置２０から遊技盤９の背面に導かれた入賞球のうち、一方（Ｖ入賞領域）に入った入賞球はＶ入賞スイッチ６４で検出され、もう一方（１０カウント入賞領域）に入った入賞球はカウントスイッチ６３で検出される。遊技盤９の背面には、大入賞口内の経路を切り換えるためのソレノイド６８も設けられている。
【００２２】
特別可変入賞装置２０の右側方には、「○」及び「×」と付された一対のＬＥＤからなる普通図柄表示器１６が設けられている。この普通図柄表示器１６は、普通図柄と呼ばれる複数種類の識別情報（例えば、「○」及び「×」）を可変表示可能なものである。
【００２３】
ゲート２８を遊技球が通過しゲートスイッチ６１で検出されると、所定周期で更新するカウンタから普通図柄当り判定用乱数が抽出されて主基板１５１に搭載されるＲＡＭ５５の普通図柄バッファに格納される。この実施の形態では、ＲＡＭ５５の普通図柄バッファに記憶可能な普通図柄当り判定用乱数の記憶数の上限は、４個となっている。そして、普通図柄バッファに記憶される普通図柄当り判定用乱数の記憶数が上限に達していなければ、つまり、普通図柄バッファに記憶される普通図柄当り判定用乱数の記憶数が４個に達していなければ、普通図柄当り判定用乱数が抽出される。そして、普通図柄表示器１６において普通図柄の表示状態が変化（「○」および「×」が交互に点灯）する可変表示を開始できる状態であれば、普通図柄表示器１６において普通図柄の可変表示が開始される。普通図柄表示器１６において表示状態が変化する可変表示を開始できる状態でなければ、普通図柄当り判定用乱数を普通図柄バッファに格納することで普通図柄当り判定用乱数の記憶数が１増加する。
【００２４】
また、特別可変入賞装置２０の左側方には、普通図柄当り判定用乱数の記憶数を表示する所定数（この実施の形態では４つ）のＬＥＤを有する普通図柄保留記憶表示器１７が設けられている。この普通図柄保留記憶表示器１７は、ゲート２８を遊技球が通過し、ゲートスイッチ６１で遊技球が検出される毎に点灯するＬＥＤを１つ増やす。そして、普通図柄表示器１６にて普通図柄（例えば、「○」及び「×」）の可変表示が開始される毎に点灯しているＬＥＤを１減らす。なお、特別図柄１２ａ〜１２ｃと普通図柄とを一つの表示部１２で可変表示するように構成することもできる。その場合には、特別図柄１２ａ〜１２ｃを可変表示する特別図柄表示エリアと、普通図柄を可変表示する普通図柄表示エリアと、は１つの表示部１２で実現される。
【００２５】
この実施の形態では、普通図柄表示器１６にて、○と×の付された上下のランプ（点灯時に図柄が視認可能になる）が交互に点灯することによって普通図柄の可変表示が行われ、可変表示は所定時間（例えば、２９．２秒）継続する。そして、可変表示の終了時に○の付された左側のランプが点灯すれば当りとなる。当りとするか否かは、ゲート２８を遊技球が通過し、ゲートスイッチ６１で遊技球が検出されたときに抽出された普通図柄当り判定用乱数の値が所定の普通図柄当り判定値と合致したか否かによって決定される。普通図柄表示器１６における可変表示の表示結果が当りである場合には、可変入賞装置１５が所定回数、所定時間だけ開状態になって遊技球が始動入賞口１４に入賞しやすい状態になる。すなわち、可変入賞装置１５の状態は、普通図柄の停止図柄が当り図柄である場合に、遊技者にとって不利な状態（閉塞状態）から有利な状態（開成状態）に変化する。
【００２６】
遊技盤９の遊技領域１０の左右周辺には、遊技中に点滅表示される装飾ランプ２５が設けられ、下部には、入賞しなかった打球が取り込まれるアウト口２６がある。また、遊技領域１０の外側の左右上部には、所定の音声出力として効果音や音声を発声する２つのスピーカ２７が設けられている。遊技領域１０の外周上部、外周左部および外周右部には、前面枠４に設けられた天枠ランプ４０、枠ランプ左４１および枠ランプ右４２が設けられている。また、枠ランプ左４１の近傍には賞球残数があるときに点灯する賞球ランプ５１が、枠ランプ右４２の近傍には補給球が切れたときに点灯する球切れランプ５２が、設けられている。
【００２７】
また、弾球遊技機１には打球操作ハンドル８を操作することにより駆動モータを駆動し、駆動モータの回転力を利用して遊技球を遊技領域１０に発射する打球発射装置８７が設けられている（図２参照）。打球発射装置８７から発射された遊技球は、遊技盤９に遊技領域１０を囲むように円形状に載設された打球レールを通って遊技領域１０に入り、その後、遊技領域１０を下りてくる。打球が始動入賞口１４に入り始動口スイッチ６２で検出されると、特別図柄１２ａ〜１２ｃの可変表示を開始できる状態であれば（例えば、大当り遊技終了又は前回の可変表示の終了）、表示部１２にて特別図柄１２ａ〜１２ｃの可変表示（変動表示）を開始する。特別図柄１２ａ〜１２ｃの可変表示を開始できる状態でなければ、保留記憶バッファに記憶される数値データ（例えば、大当り判定用乱数等）の記憶数を１増やし、特別図柄保留記憶表示器１３の点灯するＬＥＤを１つ増やす。
【００２８】
表示部１２における特別図柄１２ａ〜１２ｃの可変表示は、一定時間が経過したときに停止する。停止時の特別図柄１２ａ〜１２ｃが大当り図柄（特定表示結果）となると、大当り遊技状態に移行する。すなわち、一定時間経過するまで、または、所定個数（例えば、１０個）の打球が大入賞口に入賞するまで特別可変入賞装置２０によって大入賞口が開放される。なお、特別可変入賞装置２０によって大入賞口が開閉されてから一定期間経過するまで、または、所定個数（例えば、１０個）の打球が大入賞口に入賞するまで、が大当り遊技状態における１ラウンドである。そして、特別可変入賞装置２０による大入賞口の開放中に打球が大入賞口内のＶ入賞領域に入賞し、Ｖ入賞スイッチ６４で検出されると、継続権が発生し特別可変入賞装置２０により大入賞口の開放が再度行われる。継続権の発生は、所定回数（例えば、１５ラウンド）許容される。
【００２９】
なお、本発明に係る特定遊技状態は、上記に限らず以下に示す１〜５の制御のうちいずれか１つの制御または組合せた制御を実行する状態であればよい。
１．打球の入賞を容易にする第１の状態と、打球が入賞できないまたは入賞し難い第２の状態と、に変化可能な可変入賞装置に対して所定時間連続的または間欠的に第１の状態にする制御
２．特定の入賞または通過領域での打球の検出を介在させ、打球の入賞を容易にする第１の状態と、打球が入賞できないまたは入賞し難い第２の状態と、に変化可能な可変入賞装置に対して所定時間連続的または間欠的に第１の状態にする制御
３．打球の入賞に関わらず所定数の景品球を直接排出する制御
４．有価価値を有する記憶媒体（カードやレシート等）に対して有価数を加算する制御
５．得点があることにもとづいて遊技可能な弾球遊技機に対して得点を付与する制御
次に、弾球遊技機１の背面に設けられる構成について図２を参照して説明する。弾球遊技機１の背面には、入賞玉の発生にもとづいて所定個数の賞球を払い出すための各種の機構を装備した機構板１００が設けられると共に、上述した打球操作ハンドル８に対応する裏面には、駆動モータの回転力を利用して遊技球を遊技領域１０に発射する打球発射装置８７が固着され、その打球発射装置８７の側方には、機構板１００の余剰球通路から流下してきた玉を上述した余剰球受皿７に誘導する接続樋９３が固着されている。上記した構成のうち、打球発射装置８７には、発射制御基板ボックス８９に収容された発射制御基板９０が付設されており、この発射制御基板９０によって打球発射装置８７が駆動制御されるようになっている。
【００３０】
また、機構板１００は、玉を貯留する貯留タンク１０５と該貯留タンク１０５に貯留された賞球を下流側に整列しながら誘導する玉整列レール部材１０８およびカーブレール部材１１１と、カーブレール部材１１１からの玉を誘導する玉通路１１４と、入賞にもとづく賞球を払い出す玉払出装置１１６と、主として遊技盤９に打ち込まれた入賞玉を含む打玉を処理する処理機構と、が設けられる。玉整列レール部材１０８の上流側上部には球切れ情報スイッチ１０７が設けられている。この玉切れ情報スイッチ１０７は、後述する情報端子基板１３２に接続されて貯留タンク１０５内にて玉が不足したときに遊技場に設置される管理コンピュータに玉切れ信号を出力するようになっている。
【００３１】
また、玉整列レール部材１０８の下流側上部には、玉ならし揺動部材１０９が支軸を支点として揺動自在に垂下され、玉整列レール部材１０８上を上下２段となって流下する玉を玉ならし揺動部材１０９に埋設される重錘（符号なし）の作用によって１段とするようになっている。
【００３２】
また、玉整列レール部材１０８の下流側上部には、外部との信号線が接続される外部接続端子を有する情報端子基板１３２が設けられる。情報端子基板１３２には、上述した球切れ情報スイッチ１０７が接続される端子（符号なし）、外部（例えば、遊技場に設置される管理コンピュータ）と弾球遊技機１との間の信号線を接続する外部接続端子である球切れ情報出力コネクタ（符号なし）と球貸情報出力コネクタ（符号なし）と払出賞球数情報出力コネクタ（符号なし）、払出制御基板３６からの配線が接続される端子（符号なし）、及び主基板１５１からの配線が接続される端子（符号なし）を有して構成され、情報端子基板１３２に設けられる外部接続端子（符号なし）から外部（例えば、遊技場に設置される管理コンピュータ）へ貯留タンク１０５にて玉が不足している旨の玉切れ情報と、貸球情報と、賞球情報と、が出力される。
【００３３】
なお、情報端子基板１３２に接続される球切れ情報スイッチ１０７からの入力信号は、払出制御基板３６に入力されることはなく、そのまま球切れ情報として外部接続端子のうちの１つのコネクタから外部の管理コンピュータ等に出力される。また、情報端子基板１３２には、払出賞球数情報と球切れ情報と球貸し情報とを出力するための３つのコネクタからなる外部接続端子（符号なし）と、主基板１５１からの配線（払出賞球数情報信号を受けるもの）を接続するためのコネクタ（符号なし）と、払出制御基板３６からの配線（球貸し情報信号を受けるもの）を接続するためのコネクタ（符号なし）と、球切れ情報スイッチ１０７からの配線（球切れ情報を受けるもの）を接続するためのコネクタ（符号なし）とが実装されている。
【００３４】
また、情報端子基板１３２下方に形成される開口（符号なし）から機構板主体１０１の裏面側に形成される配線処理溝（図示しない）に沿って機構板１００の下部まで電源コード１３５が引き通され、開口から機構板主体１０１の表側に引き出されて電源コネクタ（図示しない）に接続される。また、電源コード１３５によって供給される電圧は、ＡＣ２４Ｖの電圧であり、電源ユニット基板１３７で複数の電圧が生成される。
【００３５】
また、カーブレール部材１１１の下流側には、垂直状に玉通路部材が設けられる。具体的には、左右２列の玉通路１１４から玉通路部材が構成され、該２列の玉通路１１４には、それぞれ玉切れスイッチ１１５が通路に臨むように設けられている。この玉切れスイッチ１１５は、図３に示すように、主基板１５１に接続され、玉切れスイッチ１１５が玉を検出しなくなったときには、玉払出装置１１６の作動を停止して玉の払出を不能動化させるようになっている。玉払出装置１１６は、ほぼ直方体形状をなすケースの内部に収納されて機構板主体１０１の前面側に着脱自在に取り付けられるようになっている。主基板１５１は、球切れスイッチ１１５からの入力信号に基づいて、払出制御基板３６に賞球禁止信号を出力するようにしたり、球切れスイッチ１１５からの入力信号に基づいて払出制御基板３６に玉貸禁止信号を出力するようにしたりする。
【００３６】
また、球切れスイッチ１１５がＯＮしたときに主基板１５１からの指令に基づいて払出制御基板３６は、モータ（図示しない）の駆動を停止して貸玉動作又は賞球動作を行えないように制御する。ただし、貸玉動作又は賞球動作の途中に球切れスイッチ１１５からの信号が入力されたときには、当該払出動作が終了してから次の払出動作を行わないように制御するようになっている。
【００３７】
なお、玉整列レール部材１０８の下流側には、玉整列レール部材１０８を流下する玉の有無を検出するための球切れ検知レバー（図示しない）が揺動自在に軸支されている。この球切れ検知レバーには、機構板主体１０１の裏面側にマイクロスイッチ形式の球切れスイッチ１１５が関連して設けられており、玉整列レール部材１０８を流下する玉が存在する場合には、球切れスイッチ１１５をＯＦＦ状態に保持する一方、玉詰まり又は玉切れによって玉整列レール部材１０８を流下する玉が存在しない場合には、球切れ検知レバーが跳ね上がって球切れスイッチ１１５をＯＮ状態に保持する。球切れスイッチ１１５のＯＮ・ＯＦＦ信号は、主基板１５１に入力されるようになっている。また、球切れスイッチ１１５としてマイクロスイッチ形式のものではなく、近接スイッチ、フォトスイッチ等他の形式のスイッチを使用しても良く、例えば、賞球が通過する通過穴を玉整列レール部材１０８に臨ませた近接スイッチ、あるいは玉整列レール部材１０８の裏面に取り付けたフラット近接スイッチを使用すれば、球切れ検知レバー等の部材が不要となり、検出部の構造を簡略化することができる。
【００３８】
また、機構板１００の右側下部に上述した玉払出装置１１６の動作を制御する払出制御基板３６を収容する払出制御基板ボックス１４３が取り付けられ、背面から見てその左側方に電源スイッチ１７２（図４参照）を備えて電圧の異なる複数の電源を生成する電源ユニット基板１３７を収容する電源ユニットボックス１３６と遊技盤９に設けられる可変表示装置１１や特別可変入賞装置２０等の遊技装置の動作を制御する主基板１５１を収容する主基板ボックス１５０とが重畳的に取り付けられている。払出制御基板ボックス１４３が取り付けられる機構板１００の下部構成部の前面側（機構板主体１０１の遊技盤９と対面する内側）には、打込玉を誘導する打込玉排出通路（図示しない）が形成され、機構板１００の下部構成部の背面側（機構板主体１０１の外側）には、賞球通路（図示しない）、連絡通路（図示しない）、余剰球通路（図示しない）、玉抜き通路（図示しない）の下流部がそれぞれ形成され、上述した払出制御基板ボックス１４３は、賞球通路、連絡通路、余剰球通路と玉抜き通路の下流部のさらに後面側に形成される払出制御基板ボックス１４３の取付部としての取付リブ（図示しない）に取り付けられるものである。なお、電源ユニット基板（電源生成基板）１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３９】
また、払出制御基板ボックス１４３の左側方には、上述した満タンスイッチ１２９が設けられている。入賞に基づく賞球が多数払い出されて打球供給皿６が賞球で満杯となり、さらに賞球が払出続けられたときには、賞球は、連絡通路を介して余剰球通路に導かれ、余剰球受皿７に排出される。そして、さらに賞球が払出続けられたときには、余剰球受皿７も満杯になるが、余剰球通路の一側側壁に設けられた満タン検知レバー（図示しない）部分にまで到達すると、満タン検知レバーが押圧されて満タンスイッチ１２９がＯＮされ、玉払出装置１１６のモータの駆動を停止して賞球及び貸球の払出動作を不能動化すると共に、必要に応じて打球発射装置８７の駆動も停止される。なお、満タン検知レバーは、その上端が軸支されて揺動自在に設けられ、その満タン検知レバーの後方に満タンスイッチ１２９のアクチュエータを位置させて満タン検知レバーの揺動動作を検出するものである。
【００４０】
また、弾球遊技機１の背面ほぼ中央に設置される遊技盤９の背面には、可変表示装置１１の裏面が突出して設けられている。この可変表示装置１１の裏面部分には、表示制御基板７５が表示制御基板カバー７４に被覆されて取り付けられている。表示制御基板７５は、可変表示装置１１の可変表示動作を主基板１５１からの情報信号の種類に応じて駆動制御するものである。
【００４１】
また、上記した可変表示装置１１裏面の周囲には、カバー体７０が取り付けられ、このカバー体７０に連通するようにその下部に入賞球誘導カバー体７１が取り付けられている。カバー体７０には、その中央に可変表示装置１１の裏面が貫通する窓孔７２が形成され、窓孔７２の外周部分に穿設された取付穴１５３が遊技盤９の裏面にビス止めされることで取り付けられる。
【００４２】
なお、遊技盤９の遊技領域１０には、上述したようにスイッチやソレノイド、あるいはランプ・ＬＥＤ等の電気的部品が多数設けられるが、これらは、主基板１５１やランプドライバ基板８０に接続されるようになっている。即ち、図３に示すように、遊技盤９に設けられる各スイッチ６１〜６５、１１５、１２９および各ソレノイド６６〜６８は、主基板１５１に接続され、遊技盤９に設けられる装飾ランプ２５、ガラス扉枠５に設けられる枠ランプ４０〜４２、特別図柄保留記憶表示器１３、普通図柄保留記憶表示器１７は、ランプドライバ基板８０に接続されている。
【００４３】
また、カバー体７０の一側後面に盤用中継基板７６および情報端子基板７８が、入賞球誘導カバー体７１の一側後面に盤用中継基板７７がそれぞれ取り付けられている。カバー体７０に取り付けられる盤用中継基板７６および入賞球誘導カバー体７１に取り付けられる盤用中継基板７７は、上述したように遊技盤９の遊技領域１０に設けられるスイッチ、ランプ、ソレノイド、ＬＥＤ等の電気部品と主基板１５１またはランプドライバ基板８０との接続を中継するものであり、カバー体７０に取り付けられる情報端子基板７８は、弾球遊技機１の営業管理上必要な遊技情報（例えば、大当り遊技状態中である旨を報知する大当り１情報、確率変動図柄で大当り遊技状態となりその大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動口スイッチ６２をＯＮした打玉の数を報知する始動口情報、可変表示装置１１の可変動作回数を報知する図柄確定回数１情報、普通図柄表示器１６の可変動作回数を報知する図柄確定回数２情報、及び可変入賞装置１５の開閉回数を報知する役物回数２情報等）を遊技場に設置される管理コンピュータに出力するための外部接続端子（符号なし）を有し、これらの遊技情報が主基板１５１から与えられるようになっている。更に、どの図柄で大当りしたか、どの図柄で停止したか等の情報を出力するようにしてもよい。
【００４４】
なお、この情報端子基板７８は、遊技盤９の裏面ではなく、機構板１００に取り付けても良い。例えば、情報端子基板１３２と並べて機構板１００の背面上部にまとめて設けても良いが、遊技情報の端子板としての情報端子基板７８と枠情報の端子板としての情報端子基板１３２とは、なるべく誤配線しないように離れて設けられることが望ましい。このように情報端子群を一箇所に纏めて配置することにより、メンテナンスが行い易く且つ各接続の確認が行い易いというメリットがある。なお、盤用中継基板７６及び情報端子基板７８の取付位置や並び順は、特に図示のように限定されるものではないが、遊技機裏面から視認し易い位置が作業性にも優れ、更には、不正改造されても発見し易いという利点がある。また、盤用中継基板７６及び情報端子基板７８には、各端子（コネクタ）への誤配線を防止するために、それぞれの基板に機能を示す記号や情報を付すようにしても良い。
【００４５】
また、入賞球誘導カバー体７１の後面側には、ランプドライバ基板８０および音声出力基板８２を収容する制御基板ボックス７９が取り付けられている。ランプドライバ基板８０は、図３に示すように、遊技盤９の遊技領域１０（必ずしも遊技領域１０の内部に設けられなくてもよく、遊技盤９に設けられていれば良い）に設けられるランプ・ＬＥＤ、および前面枠４やガラス扉枠５に設けられるランプ・ＬＥＤ等を主基板１５１からの情報信号に応じて一括して駆動制御するものである。また、音声出力基板８２は、スピーカ２７を駆動制御するものであり、主基板１５１からの情報信号に応じて遊技内容に対応した効果音を発生させるものである。また、音声出力基板８２には、音量を切り替える音切替スイッチ８３が設けられている。
【００４６】
以上、弾球遊技機１の構成について説明してきたが、次に、配線接続される回路構成について、図３を参照して説明する。
【００４７】
図３は、本実施形態に係る弾球遊技機１の回路構成の概要を表したブロック図である。主基板１５１には、プログラムに従って弾球遊技機１を制御する基本回路５３が搭載されている。基本回路５３は、ゲーム制御用のプログラム等を記憶するＲＯＭ５４、ワークメモリとして使用される記憶手段としてのＲＡＭ５５、プログラムに従って遊技の信号を制御するＣＰＵ２４３、及び表示制御基板７５等に制御信号を送信するＩ／Ｏポート部５７を含む。この実施の形態では、ＲＯＭ５４，ＲＡＭ５５はＣＰＵ２４３に内蔵されている。すなわち、ＣＰＵ２４３は、１チップマイクロコンピュータである。なお、ＣＰＵ２４３はＲＯＭ５４に格納されているプログラムに従って制御を実行するので、以下、ＣＰＵ２４３が実行する（または、処理を行う）ということは、具体的には、ＣＰＵ２４３がプログラムに従って制御を実行することである。このことは、主基板１５１以外の他の基板に搭載されているＣＰＵについても同様である。また、この実施の形態で用いられる遊技制御用マイクロコンピュータとは、主基板１５１に搭載されるＣＰＵ２４３、ＲＯＭ５４、ＲＡＭ５５、Ｉ／Ｏポート部５７、等の周辺回路のことである。
【００４８】
また、ゲートスイッチ６１、始動口スイッチ６２、カウントスイッチ６３、Ｖ入賞スイッチ６４、クリアスイッチ６５、玉切れスイッチ１１５、満タンスイッチ１２９、からの信号を基本回路５３に与えるスイッチ回路３２、可変入賞装置１５を開閉するソレノイド６６、特別可変入賞装置２０を開閉するソレノイド６７、大入賞口内に設けられたシーソーを可動するソレノイド７３、等を基本回路５３からの指令に従って駆動するソレノイド回路３３、電源投入時に基本回路５３をリセットするためのシステムリセット回路（図示しない）、基本回路５３から与えられるデータに従って、大当り遊技状態の発生を示す大当り情報、等の情報出力信号をホールコンピュータ等の外部装置に対して出力するために情報端子基板７８へ遊技情報を出力する情報出力回路３４、も主基板１５１に搭載されている。
【００４９】
主基板１５１に設けられた遊技制御用マイクロコンピュータ（ＣＰＵ２４３及びＲＯＭ５４，ＲＡＭ５５等の周辺回路）は、プリペイドカード等が挿入されることによって球貸しを可能にするカードユニット５０、遊技盤９に設けられた複数の入賞口にて遊技球の入賞を検出したことにより賞球払い出しを行う玉払出装置１１６、を制御する払出制御基板３６に払出制御信号を送信する。また、遊技制御用マイクロコンピュータは、打球操作ハンドル８を操作することにより打球発射装置８７を駆動制御して遊技球を遊技領域１０に向けて発射制御する発射制御基板９０に発射制御信号を送信する。
【００５０】
さらに、遊技制御用マイクロコンピュータは表示制御基板７５に演出制御コマンド（演出制御信号）を送信する。演出制御コマンドを受信することにより表示制御基板７５に設けられた表示制御用マイクロコンピュータ（表示制御用ＣＰＵ（図示しない）、ＲＡＭ（図示しない）、ＲＯＭ（図示しない）、Ｉ／Ｏポート部（図示しない）、等の周辺回路）が表示部１２の表示制御を行う。
【００５１】
表示制御用ＣＰＵは、ＲＯＭに格納されたプログラムに従って動作し、主基板１５１から演出制御コマンドを受信すると、受信した演出制御コマンドに従って表示部１２の表示制御を行う。具体的には、画像表示を行う表示制御機能及び高速描画機能を有するＶＤＰ（図示しない）により可変表示部の表示制御を行う。表示制御用ＣＰＵは、受信した演出制御コマンドに従ってキャラクタＲＯＭ（図示しない）から必要なデータを読み出す。キャラクタＲＯＭは、表示部１２に表示される画像の中でも使用頻度の高いキャラクタ画像データ、具体的には、人物、怪物、文字、図形又は記号等を予め格納しておくためのものである。
【００５２】
そして、表示制御用ＣＰＵはキャラクタＲＯＭから読み出したデータをＶＤＰに出力する。ＶＤＰは表示制御用ＣＰＵからデータが入力されたことにもとづいて動作する。この実施の形態では、表示部１２の表示制御を行うＶＤＰ（図示しない）が表示制御基板７５に搭載されている。また、ＶＤＰは、表示制御用ＣＰＵとは独立した二次元のアドレス空間を持ち、そこにＶＲＡＭ（図示しない）をマッピングしている。
【００５３】
ＶＤＰはキャラクタ画像データに従って表示部１２に表示するための画像データを生成し、ＶＤＰはＶＲＡＭに展開する。ＶＲＡＭはＶＤＰによって生成された画像データを展開するためのフレームバッファメモリである。そして、表示部１２に出力する。
【００５４】
また、この実施の形態では、表示制御基板７５に設けられた表示制御用マイクロコンピュータが音声出力基板８２にスピーカ２７の駆動信号を出力し、スピーカ２７の音声出力制御を行うともに、ランプドライバ基板８０にランプ・ＬＥＤの駆動信号を出力し、弾球遊技機１に設けられたランプ・ＬＥＤの発光制御を行う。すなわち、表示制御基板７５に搭載される表示制御用マイクロコンピュータは、主基板１５１から送信される表示部１２の表示制御、ランプ・ＬＥＤの点灯制御、遊技音発生等の演出の制御に関する指令情報としての演出制御コマンド（制御信号）にもとづいて表示部１２、スピーカ２７、弾球遊技機１に設けられるランプ・ＬＥＤ等の発光体の制御を行う演出制御用マイクロコンピュータである。
【００５５】
次に、本実施形態の要部を構成する主基板ボックス１５０の詳細な構造について説明する。図４は、機構板１００の下部構成部の背面から見て左側部分に取り付けられる電源ユニットボックス１３６および主基板ボックス１５０の取付状態を示す斜視図である。
【００５６】
図４に示すように主基板ボックス１５０は、導電性の取付台２５０に取り付けられ、その取付台２５０の底面に形成される係合片２５５を上述した横架突出板１６０に形成される挿入溝１６２とＬ字状突出板１６５の挿入溝１６６に係合させることにより、簡単に行うことができる。
【００５７】
また、取付台２５０は、ほぼ長方形状の導電性金属板（導電性合成樹脂でも良い）によってほぼ長方形状に形成され、その周辺が折り曲げられて補強片２５１〜２５４となっている。図示縦方向の補強片２５２，２５４の上下にボックス状主体１９０の左右に突設される係合突起２０５が挿入される係合穴２５７が穿設されている。また、他方の補強片２５４のほぼ中央は、折り曲げられることなくそのまま外側に向かって延設された係止片部２５８となっており、その係止片部２５８にボックス状主体１９０の図示しない係止レバーの係止爪が係止される係止穴２５９が形成されている。なお、係止片部２５８を補強するために係止片部２５８の上下には、ビード加工部２６０が形成されている。なお、上辺の補強片２５１だけは、外側に向かって折り曲げられており、機構板１００の横架突出板１６０に取付台２５０が取り付けられたときに補強片２５１が横架突出板１６０の上辺部と当接するようになっている。
【００５８】
更に、取付台２５０の上下左右の底面４箇所に係合片２５５が打ち抜き形成されていると共に、取付台２５０の図示左下底面及び右上底面に弾性当接片２６１が打ち抜き形成されている。このため、係合片２５５及び弾性当接片２６１が形成される底面には、打ち抜き開口２５６，２６２（図５参照）がそれぞれ形成されている。係合片２５５は、前記横架突出板１６０に形成される挿入溝１６２及びＬ字状突出板１６５に形成される挿入溝１６６に挿入されるものであり、前述した制御基板ボックス７９の取付台（図示しない）の係合片（図示しない）及び入賞球誘導カバー体７１の挿入溝（図示しない）と同じ作用によって係止し得るものである。ところで、この弾性当接片２６１が形成される位置は、主基板ボックス１５０を取付台２５０に取り付けたときに、ボックス状主体１９０に主基板１５１を止着する導電ネジの下端が当接する位置となっている。そして、弾性当接片２６１は、いずれも取付台２５０の端部に向けて上り勾配となるように形成されている。
【００５９】
上記のように構成される取付台２５０に主基板ボックス１５０を装着するには、主基板ボックス１５０の左側を斜め下方にして取付台２５０に当接した後、図示左方向にスライドさせて係合突起２０５を係合穴２５７に差し込む。このとき、主基板ボックス１５０の左下部分が左下の弾性当接片２６１を下方に押し込み、しかも当該弾性当接片２６１がスライド方向に対して上り勾配となっているので、係合突起２０５の係合穴２５７への差し込み作業に支障を来すことはない。係合突起２０５を係合穴２５７に差し込んだ後に主基板ボックス１５０の右側を取付台２５０に当接させ、その後、主基板ボックス１５０を右側にスライドさせて係合突起２０５を係合穴２５７に係合させると共に係止レバー２０６の係止レバー２０６を係止穴２５９に係合させる。これによって主基板ボックス１５０を取付台２５０に完全に装着した状態とすることができる。なお、主基板ボックス１５０を右方向にスライドさせる作業の場合にも右上の弾性当接片２６１がスライド方向に対して上り勾配となっているので、係合突起２０５と係合穴２５７とを係合させると共に係止レバー２０６の係止レバー２０６を係止穴２５９に係合させる作業に支障を来すことはない。
【００６０】
上記のようにして主基板ボックス１５０を取付台２５０に取り付けた状態においては、導電ネジ２４２の先端当接面が導電性の金属板で形成される取付台２５０の弾性当接片２６１に当接した状態となっている。しかして、導電ネジ２４２は、主基板１５１のグランドラインに接触しているので、主基板１５１に侵入したノイズを導電ネジ２４２および弾性当接片２６１、更に機構板１００を介して外部に放電することができる。このため、従来、主基板ボックスを透明化したことにより導電部材を使用し難くノイズに弱い基板ボックスとなっていたが、本実施形態のように構成すれば、ノイズに対して十分に対処し得るものである。また、従来の基板ボックスにおいてアース線を接続したものに比べてもアース構造が主基板ボックス１５０を単に取付台２５０に装着するだけで実現できるので、極めて簡単である。
【００６１】
なお、主基板ボックス１５０を取付台２５０から取り外す場合には、係止レバー２０６を主基板ボックス１５０の内側に向かって押さえ付けながら、全体を左方向にスライドさせて図示右側の係合突起２０５と係合穴２５７との係合を解除し、主基板ボックス１５０の右側を持ち上げて右側にスライドさせることにより、図示左側の係合突起２０５と係合穴２５７との係合を解除させ、これによって主基板ボックス１５０を取付台２５０から簡単に取り外すことができる。また、上記した主基板ボックス１５０の取付台２５０への取付は、取付台２５０を機構板１００に取り付けたままの状態であっても行うことができる。
【００６２】
また、電源ユニットボックス１３６を取り付ける領域は、やや前面側に向かって凹状に形成されている。即ち、電源ユニットボックス１３６の取付空間の側壁を構成する透明側壁板１７８は、図４に示す右側下部構成部の機構板１００よりもやや前面側に奥まった位置（遊技盤９に近づく位置）となっており、その透明側壁板１７８の上部左右に一対の取付穴１７５を有する取付ボスが形成され、透明側壁板１７８の下辺左右に一対の係合穴１６７が形成されている。この係合穴１６７は、透明側壁板１７８から直角状に背面に向かって突設されるＬ字状突出板１６５との隅角部に形成されるものである。Ｌ字状突出板１６５の先端には、主基板ボックス１５０を取り付けるための取付台２５０の下部を着脱自在に装着するための挿入溝１６６が形成されている。この挿入溝１６６については、後に詳述する。なお、透明側壁板１７８の裏面には、取付空間を補強するために補強リブ１７７が長方形状に突設されている。
【００６３】
しかして、上記のように構成される取付空間に電源ユニットボックス１３６を取り付けるには、電源ユニットボックス１３６の下部両側に突設される係合突起１７３を係合穴１６７に差し込んだ後に、電源ユニットボックス１３６の上部両側に突設される取付片１７４の取付穴を上述した取付穴１７５に対応させてビス１７６を止着することにより簡単に取り付けることができる。そして、この場合、電源ユニットボックス１３６が右側下部構成部の機構板１００よりも前面側（遊技盤９に近い側）に奥まって取り付けられているので、電源ユニットボックス１３６の背面側への突出量を抑制することができる。特に、電源ユニット基板１３７は、他の制御基板と比べて高さ（厚み）を有するヒートシンクや大型のコンデンサが実装されるので、その電源ユニット基板１３７を収容する電源ユニットボックス１３６も厚みがあるが、このような厚みのある電源ユニットボックス１３６を取り付けても背面側の突出量を抑制することができるものである。電源ユニットボックス１３６の背面側には、遊技動作を制御する主基板１５１を収容する主基板ボックス１５０が着脱自在に取り付けられるようになっている。その取付は、図４に示すように、機構板１００の開口窓１０２の下辺よりやや上部にブリッジ状に掛け渡される横架突出板１６０に取り付けられるものである。
【００６４】
次に、主基板ボックス１５０について図５〜図７を参照して説明する。図５は、主基板ボックス１５０の分解斜視図であり、図６は、主基板ボックス１５０の正面図であり、図７は、ボックス状主体１９０とカバー体２１０との係合を説明するための断面図である。
【００６５】
主基板ボックス１５０は、複数の被覆部材を組み付けることにより構成されており、その複数の被覆部材として、回路基板としての主基板１５１の裏面を被覆し且つ該主基板１５１を支持する主体としてのボックス状主体１９０と、該ボックス状主体１９０に被覆支持される主基板１５１の電子部品実装領域（表面）を少なくとも被覆する蓋体としてのカバー体２１０と、から構成されている。そして、ボックス状主体１９０とカバー体２１０は、すべて内部が視認し得る非導電性の透明合成樹脂で形成されている。以下、主基板ボックス１５０を構成する各被覆部材（ボックス状主体１９０，カバー体２１０）と主基板１５１について詳細に説明する。
【００６６】
まず、ボックス状主体１９０について詳細に説明する。ボックス状主体１９０は、上面が開放した直方体状に形成され、その底面板１９１の内側（上面）の四隅のやや内側には、主基板１５１を止着支持するための位置決め突起１９２と取付ボス１９３が突設されている。位置決め突起１９２は、底面板１９１の一方の対角線端部に突設され、取付ボス１９３は、他方の対角線端部に突設され、その中心に取付穴が形成されている。しかして、位置決め突起１９２には、主基板１５１の一方の対角隅角部に形成される位置決め穴２４０が嵌合され、取付ボス１９３には、主基板１５１の他方の対角隅角部に形成される取付穴２４１が対応せしめられて後述する導電ネジ２４２によって止着されるようになっている。ただし、主基板１５１を上記のようにして止着したときには、ボックス状主体１９０の側壁内周に主基板１５１の裏面（ハンダ面）を支持する支持突起１９４が適宜間隔を置いて複数形成されている。
【００６７】
また、ボックス状主体１９０の上部側壁一側および上部側壁一側と対角の下部側壁一側には、突出片部２０８が突設され、該突出片部２０８には、カバー体２１０の係合突片２１７と嵌合する係合段差溝１９５が形成されている。この係合段差溝１９５は、第１段差溝１９５ａと第２段差溝１９５ｂとがクランク状に形成され、カバー体２１０の係合突片２１７を、まず、第１段差溝１９５ａに落し入れた後に、側方（図５で右側）に向かってスライドさせて第２段差溝１９５ｂに係合突片２１７を落し入れることにより、ボックス状主体１９０とカバー体２１０とを係合させる。このように２段階落し入れ構造を採用したのは、後述するパターン被覆板２１２のコネクタ貫通穴２１３に主基板１５１に実装されるコネクタ１５１ａ〜１５１ｉをスムーズに挿入し且つボックス状主体１９０とカバー体２１０とを係合させるためである。なお、係合突片２１７と係合段差溝１９５との係合および突出片部２０８の作用については、後に詳述する。
【００６８】
また、ボックス状主体１９０の横方向両側壁の外側に所定辺に沿ってレール上のレール沿設部２３５が設けられ、該レール沿設部２３５に一方向にのみスライド可能なスライド封印部材２２０が取外し不能に設けられている。スライド封印部材２２０については後述するが、スライド封印部材２２０は、例えば不透明な樹脂等により形成され、ボックス状主体１９０に向かって突設される板状部２２１を有し、該板状部２２１の複数箇所に切欠部２２２が形成され、さらに、該複数の切欠部２２２の間に板状部２２１の外面から外側に突設されたスライド切除部２２３が人為的に切除可能な状態で設けられている。なお、板状部２２１は、レール沿設部２３５の深さ方向上方に板状部２２１とレール沿設部２３５の間に所定の空間（例えば、後述する開放防止突起２４５が侵入可能な空間）を有する位置に突設される。
【００６９】
このスライド封印部材２２０は、ボックス状主体１９０とカバー体２１０とを分離できないようにする固着手段であり、ボックス状主体１９０とカバー体２１０とを組み合わせるときにカバー体２１０に突出形成された後述する開放防止突起２４５をスライド封印部材２２０の板状部２２１に形成された切欠部２２２から挿通させることにより、板状部２２１の下方に位置させた後、スライド封印部材２２０を開放防止突起２４５がスライド封印部材２２０の切欠部２２２ではない板状部２２１に覆われる位置までスライドさせることによりボックス状主体１９０とカバー体２１０とを取外し不能な封止状態とする。すなわち、封止状態でボックス状主体１９０とカバー体２１０とを取外そうとしても板状部２２１の下方に位置する開放防止突起２４５がスライド封印部材２２０の板状部２２１の下方側面に当接し、ボックス状主体１９０とカバー体２１０との封止状態を解除できないように構成している。
【００７０】
更に、ボックス状主体１９０の縦方向の両方の側壁下部上下には、係合突起２０５が外側に向かって突設され、縦方向の他方の側壁のほぼ中央に側壁と平行となるように係止レバー２０６が形成されている。係合突起２０５は、後述する取付台２５０に形成される係合穴２５７に係合されるものであり、係止レバー２０６は、取付台２５０の係止穴２５９に係止されるものである。そのため、係止レバー２０６の下端には、係止爪２０７が形成されている。つまり、係合突起２０５および係止レバー２０６は、主基板ボックス１５０を取付台２５０に着脱自在に取り付けるための部材である。
【００７１】
上記のように構成されるボックス状主体１９０に装着される主基板１５１は、図５に示すように、長方形状のプリント配線基板によって構成されており、その上面の大部分はＲＡＭおよびＲＯＭを内蔵してワンチップ化したいわゆるワンチップマイクロコンピュータであるＣＰＵ２４３（ＣＰＵ、ＲＡＭ、ＲＯＭはそれぞれ別体にチップ化されていても良いし、ワンチップマイコンでも良い）、トランジスタ、抵抗等の電子部品を実装する電子部品実装領域として形成される一方、縦方向の両側の領域が複数のコネクタ１５１ａ〜１５１ｉを実装するコネクタ実装領域として形成されている。また、主基板１５１には、その四隅に位置決め穴２４０と取付穴２４１が形成され、前述したようにボックス状主体１９０の底面板１９１の内側四隅に突設される位置決め突起１９２と取付ボス１９３に係合または導電ネジ２４２で止着されるようになっている。
【００７２】
なお、取付穴２４１は、主基板１５１のグランドラインがプリントされる部分に形成されており、導電ネジ２４２を止着したときには、そのグランドラインと導電ネジ２４２とが導通するようになっている。この導電ネジ２４２は、その先端が平面状の先端当接面となっており、しかも、主基板１５１を取付穴２４１に止着したときにその先端が底面板１９１の裏面側に露出した状態となっているため、後に詳述するように主基板ボックス１５０を取付台２５０に装着したときには、取付台２５０の弾性当接片２６１と押圧当接するようになっている。
【００７３】
上記のようにボックス状主体１９０に支持された主基板１５１の実装面側を覆う蓋体としてのカバー体２１０は、下方が開放したボックス状に形成され、図示縦方向の両方の側壁板２１１および上面板の上下に放熱穴２１４が形成されている。また、両方の側壁板２１１の下端（主基板１５１と当接する側）には、開口としてのコネクタ貫通穴２１３が形成された覆板としてのパターン被覆板２１２が外側に向かって突設されている。コネクタ貫通穴２１３は、主基板１５１に実装されるコネクタ１５１ａ〜１５１ｉのそれぞれの大きさとほぼ同じ大きさでそれぞれ形成されているため、コネクタ貫通穴２１３からはコネクタ１５１ａ〜１５１ｉのみが貫通してコネクタ１５１ａ〜１５１ｉ周辺は、パターン被覆板２１２により被覆される。これにより、コネクタ１５１ａ〜１５１ｉ周辺の配線パターンを完全に覆った状態となり、このため、コネクタ１５１ａ〜１５１ｉ周辺の配線パターンに不正な配線のハンダ付け等を行うことを防止することができると共に、主基板１５１とカバー体２１０との間から配線を含む異物を挿入することができず、いずれにしても主基板１５１に対する不正な行為が行えないようになっている。
【００７４】
また、カバー体２１０の上面板には、上記したように上下に放熱穴２１４が形成されると共に、その間に機種名シールを貼付する機種名シール貼付部２１５と主基板１５１を検査した際に書き込む「検査者」「検査日」の各項目を記した履歴シールを貼付する履歴シール貼付部２１６が形成されている。
【００７５】
一方、カバー体２１０の図示横方向の上下の側壁板のほぼ中央にはボックス状主体１９０とカバー体２１０とを組み合わせたときに上述したスライド封印部材２２０の板状部２２１に形成された切欠部２２２から挿通されて板状部２２１の下方に位置する開放防止突起２４５と、ボックス状主体１９０とカバー体２１０とを組み合わせたときに板状部２２１の上方となる位置にスライド防止突起２４６と、が設けられている。なお、スライド防止突起２４６は、スライド封印部材２２０をスライドすることにより上述したスライド切除部２２３と当接し、スライド封印部材２２０のスライドを規制するものである。
【００７６】
さらに、カバー体２１０の図示横方向の上方の側壁板の一側端および上方の側壁板の一側端と対向する下方の側壁板の一側端には、Ｌ字状の係合突片２１７が外側に向かって突設され、この係合突片２１７がボックス状主体１９０の係合段差溝１９５に落し入れられるようになっている。より具体的に説明すると、図７（Ａ）に示すように、係合突片２１７は、カバー体２１０の上下部の側壁の縦巾方向の垂直片２１７ｂと横巾方向の水平片２１７ａとによってＬ字状となっている。
【００７７】
また、上述した係合段差溝１９５の第１段差溝１９５ａは、その入口の横巾寸法が上記水平片２１７ａよりも若干大きくなっており、その深さ方向の寸法は、第１段差溝１９５ａの底面に水平片２１７ａを当接させたときにパターン被覆板２１２がコネクタ１５１ａ〜１５１ｉの上端部よりも高い位置で且つ係合段差溝１９５を構成するボックス状主体１９０の部材に邪魔されることなく横方向にスライドできる寸法である。また、第２段差溝１９５ｂは、その横巾寸法が水平片２１７ａとほぼ同じであり、また、高さ方向の寸法は、パターン被覆板２１２の裏面が主基板１５１の上面に当接した状態で垂直片２１７ｂの上端が第１段差溝１９５ａの上端から突出しない高さ寸法である。なお、図７（Ａ）に示す第２段差溝１９５ｂにおいては、主基板１５１のやや上部に切欠１９５ｃが形成されているが、必ずしもこの切欠１９５ｃは必要ではない。
【００７８】
しかして、図７（Ｂ）に示すように、係合突片２１７の水平片２１７ａを係合段差溝１９５の第１段差溝１９５ａに落し入れて第１段差溝１９５ａの底面に当接させる。この当接させた状態では、パターン被覆板２１２を主基板１５１のコネクタ１５１ａ〜１５１ｉの上方位置に止めた状態となっている。その後、図７（Ｃ）に示すように、水平片２１７ａを左横方向にスライドさせることにより、水平片２１７ａが第２段差溝１９５ｂに落とし入れられると同時にパターン被覆板２１２のコネクタ貫通穴２１３がコネクタ１５１ａ〜１５１ｉの真上から貫通するように落とし入れられる。これによって、カバー体２１０をボックス状主体１９０に取り付けることができる。また、このとき、係合突片２１７の垂直片２１７ｂが第１段差溝１９５ａと第２段差溝１９５ｂとの連通部を閉塞した状態となっているので、係合段差溝１９５から異物を内部に侵入させることはできない。逆に、取り外す場合には、カバー体２１０を上方に持ち上げた後に右方向にスライドさせ、さらに持ち上げることにより、簡単に取り外すことができる。
【００７９】
ただし、カバー体２１０をボックス状主体１９０から分離できる前提としてカバー体２１０に設けられた開放防止突起２４５が挿通可能な位置に上述した切欠部２２２があることが必要である。従って、スライド封印部材２２０の切欠部２２２ではない板状部２２１の下方に位置している開放防止突起２４５が板状部２２１に形成された切欠部２２２の下方に位置するまでスライド封印部材２２０をスライドして切欠部２２２の位置を開放防止突起２４５が挿通可能な位置にする必要がある。
【００８０】
このとき、ボックス状主体１９０とカバー体２１０とを組み合わせた状態で、開放防止突起２４５が切欠部２２２を挿通不能な位置、すなわち、開放防止突起２４５がスライド封印部材２２０の切欠部２２２ではない板状部２２１の下方に位置している状態では、スライド封印部材２２０をスライドしようとしても板状部２２１の外側面から外側に突設されたスライド切除部２２３とカバー体２１０に設けられたスライド防止突起２４６とが当接してスライド封印部材２２０をスライドすることができない。この実施の形態では、スライド切除部２２３を切除することによりスライド封印部材２２０をスライド可能状態とし、切欠部２２２の位置を開放防止突起２４５が挿通可能な位置となるまでスライド封印部材２２０を移動させることによりカバー体２１０をボックス状主体１９０から分離可能な状態（開封可能状態）となる。
【００８１】
なお、この実施の形態では、スライド防止突起２４６をカバー体２１０に突出形成しているが、ボックス状主体１９０にスライド防止突起２４６を突出形成するように構成してもよい。この場合には、スライド封印部材２２０をスライドして切欠部２２２の位置を開放防止突起２４５が挿通可能な位置となることを規制する位置（例えば、板状部２２１にと突設されたスライド切除部２２３と当接する位置）にスライド防止突起２４６が突出形成される。しかし、この実施の形態のように、カバー体２１０にスライド防止突起２４６を突出形成し、開放防止突起２４５とスライド防止突起２４６とを近くに位置させることによりスライド封印部材２２０の操作中における開放防止突起２４５、スライド防止突起２４６、切欠部２２２、およびスライド切除部２２３の位置関係を容易に把握でき、作業性が向上する。
【００８２】
また、この実施の形態では、スライド切除部２２３をスライド封印部材２２０の板状部２２１のボックス状主体１９０に近い位置に突出形成し、スライド封印部材２２０の厚み方向において切欠部２２２と重なる位置となっているが、突出形成する位置はこの例に限らず、スライド封印部材２２０の板状部２２１の外側で、且つ、スライド方向において各切欠部２２２の間に位置していればどの位置に突出形成してもよい。例えば、スライド切除部２２３をスライド封印部材２２０の板状部２２１の外側のボックス状主体１９０から遠い位置でスライド封印部材２２０の厚み方向において切欠部２２２と重ならない位置に突出形成してもよく、この場合には、カバー体２１０とボックス状主体１９０とを組み合わせたときにカバー体２１０に突出形成するスライド防止突起２４６の側面（カバー体２１０の側面と対向していない面）とスライド切除部２２３の側面（スライド封印部材２２０の板状部２２１の外側に対向していない面）とが当接する大きさのスライド防止突起２４６を形成するように構成すればよい。
【００８３】
また、図示縦方向の両方の側壁板２１１からカバー体２１０を変形させながら無理やり持ち上げて隙間を作り不正改造しようとしても、水平片２１７ａが第２段差溝１９５ｂの上面内側に当接し、その当接させた状態で側面から異物を挿入しようとしても側壁板２１１によって主基板ボックス１５０の側方から挿入することができないので、結局不正行為を確実に防止することができるものである。また、上記のような係合突片２１７と係合段差溝１９５とによる係合部を設けることで、最終的に止着する止着部（例えば、スライド封印部材２２０と開放防止突起２４５）の設置数を少なくすることができるため、コストダウンを図ることができると共に組付け作業が容易となるものである。
【００８４】
なお、上方が開放されたボックス状主体１９０と下方が開放されたカバー体２１０を上記したように閉塞した状態においては、ボックス状主体１９０の全周側壁とカバー体２１０の全周側壁とが側方から見て重畳するようになっている。このことは、側方から見てボックス状主体１９０とカバー体２１０との間に隙間が形成されていないということを意味し、ボックス状主体１９０とカバー体２１０との間に隙間が生じるのは、カバー体２１０の背面側から見たとき（図５の右から左方向に見たとき）であり、この場合、主基板１５１に対して垂直方向となるため、仮にボックス状主体１９０とカバー体２１０との隙間から細い針金状の異物を挿入しようとしても、その異物を直角に折り曲げなければ主基板１５１の内部に実装される電子部品に到達することができないので、本実施形態のような主基板ボックス１５０は、不正行為を行い難いという利点がある。
【００８５】
ここで、上記のように構成される主基板ボックス１５０に設けられたスライド封印部材２２０について説明する。図８（Ａ）は、スライド封印部材２２０をボックス状主体１９０に取り付けていない状態で正面、側方、および、上方から見た断面図であり、図８（Ｂ）は、スライド封印部材２２０をボックス状主体１９０に取り付けた状態で側方から見た断面図である。
【００８６】
図８（Ａ）に示すように、ボックス状主体１９０の外側面にはレール沿設部２３５が突設され、レール沿設部２３５の先端部（ボックス状主体１９０の外面から遠い側の部分）は、上下二又に分かれた突起部として、上側突起２３６および下側突起２３７が形成されている。すなわち、レール沿設部２３５の先端部（ボックス状主体１９０から遠い側の部分）は、ボックス状主体１９０の外面に対向するように上下両側に突出した上側突起２３６および下側突起２３７が設けられる。また、スライド封印部材２２０は、上側突起２３６および下側突起２３７を挿通可能な程度の中空部を有する中空状の部材により構成される。スライド封印部材２２０をボックス状主体１９０に取り付けるときには、スライド封印部材２２０の側方からレール沿設部２３５に突設した上側突起２３６および下側突起２３７を挿入する。このとき、上側突起２３６および下側突起２３７と、中空状に形成されたスライド封印部材２２０の中空部の内側面と、が係合することにより、スライド封印部材２２０がボックス状主体１９０の外面の所定辺に沿って設けられたレール沿設部２３５に取外し不能に設けられる。
【００８７】
また、レール沿設部２３５のボックス状主体１９０の外側面と対向するとともにスライド封印部材２２０の中空部の内側と当接する側面には、スライド封印部材２２０の一方向へのスライドのみを可能とする逆行防止フック２３８が突設されている。この実施の形態では、レール沿設部２３５の側面の所定の位置からスライド封印部材２２０のスライド可能な方向に対して所定の角度を有するように突設形成される。また、レール沿設部２３５に突設した逆行防止フック２３８のスライド封印部材２２０のスライドを可能とする側にはたわみ溝２３９が形成され、逆行防止フック２３８がスライド封印部材２２０の中空部の内側面に形成された逆行防止突部２２４と当接したときに、たわみ溝２３９の内部方向に歪められる。
【００８８】
また、レール沿設部２３５は、例えば、不透明の樹脂（不透明でなくてもよい）により形成され、レール沿設部２３５に突設する逆行防止フック２３８も同様の材質を有するため、弾性を有し、逆行防止突部２２４と当接してたわみ溝２３９の内部方向に歪められることによりたわみ溝２３９の外部方向（逆行防止フック２３８と当接する逆行防止突部２２４の方向）への応力が発生して、元の形状に戻る方向の力が働く。なお、逆行防止フック２３８は、後述する逆行防止突部２２４と係合し、スライド封印部材２２０を一方向にのみスライド可能にする。
【００８９】
また、スライド封印部材２２０の中空部の内側面にはスライド封印部材２２０を一方向にのみスライド可能とする複数の逆行防止突部２２４が突設形成される。この実施の形態では、逆行防止突部２２４は、ボックス状主体１９０の外側面に対向する内側面にスライド封印部材２２０の幅方向に亘って突設し、スライド封印部材２２０のスライド可能な方向に対して緩やかな傾斜（例えば、ボックス状主体１９０の外側面に対して例えば１５°程度の緩やかな傾斜）を有するとともに、スライド封印部材２２０のスライド不能な方向に対して急激な傾斜（例えば、ボックス状主体１９０の外側面に対して例えば９０°程度の急激な傾斜）を有するように突設される。なお、スライド封印部材２２０をボックス状主体１９０のレール沿設部２３５に取り付けることによりレール沿設部２３５の側面に突設した逆行防止フック２３８と、スライド封印部材２２０の中空部の内側面に形成された逆行防止突部２２４と、が当接し、スライド封印部材２２０を逆行防止突部２２４の緩やかな傾斜を有する方向にのみスライド可能にする。
【００９０】
なお、逆行防止フック２３８は、逆行防止突部２２４のスライド封印部材２２０のスライド可能な方向に対して緩やかな傾斜を有する面と、スライド封印部材２２０のスライド不能な方向に対して急激な傾斜を有する面と、の間に位置して急激な傾斜を有する面と係合することによりスライド封印部材２２０を固定し、この状態でスライド封印部材２２０をスライドさせると、逆行防止フック２３８がたわみ溝２３９の内部側に入り込む方向に歪められて逆行防止突部２２４の緩やかな傾斜を有する面に当接した状態で移動し、逆行防止突部２２４の頂点に達した後、さらにスライド封印部材２２０を同一方向にスライドすることにより、次に形成される逆行防止突部２２４の急激な傾斜を有する面と、緩やかな傾斜を有する面と、の間に移動するとともに、たわみ溝２３９の内部側に入り込む方向に歪められていた状態で発生した応力により元の形状に戻り、次に形成される逆行防止突部２２４のスライド封印部材２２０のスライド不能な方向に対して急激な傾斜を有する面と係合してスライド封印部材２２０の逆方向へのスライドを規制し、スライド封印部材２２０のスライドを一方向にのみ可能にする。
【００９１】
また、この実施の形態では、スライド封印部材２２０を一方向にのみスライド可能とする逆行防止突部２２４がスライド封印部材２２０の中空部のボックス状主体１９０と対向する内側面に突設されるが、逆行防止突部２２４を形成する位置はレール沿設部２３５と当接する位置であればどこでもよい。この場合には、逆行防止突部２２４と当接するレール沿設部２３５の側面に逆行防止フック２３８を突設する構成とすればよい。例えば、スライド封印部材２２０の中空部の上部内側面、および／または、下部内側面に逆行防止突部２２４を突設し、上側突起２３６の上部表面、および／または、下側突起２３７の下部表面に逆行防止フック２３８を突設するように構成してもよい。
【００９２】
また、スライド封印部材２２０の中空部の内側面に突設した逆行防止突部２２４と、レール沿設部２３５のボックス状主体１９０の外側面に対向する側面に突設した逆行防止フック２３８と、が係止することによりスライド封印部材２２０が自在にスライドすることが規制される。すなわち、スライド封印部材２２０をスライド可能な方向に押圧していない状態では、逆行防止フック２３８のスライド可能な方向に対して緩やかな傾斜を有する面と、スライド不能な方向に対して急激な傾斜を有する面と、の間に逆行防止フック２３８が位置し、逆行防止フック２３８のスライド可能な方向に対して緩やかな傾斜を有する面と、スライド不能な方向に対して急激な傾斜を有する面と、の２つの面の間で係合状態を形成することによりスライド封印部材２２０が自在にスライドすることを規制している。なお、この実施の形態における逆行防止突部２２４は、スライド封印部材２２０の板状部２２１に形成された複数の切欠部２２２のうちいずれかが所定の位置となったときに逆行防止フック２３８と係合してスライド封印部材２２０のスライドを停止可能となるように形成される。例えば、切欠部２２２が開放防止突起２４５の上方に位置して、開放防止突起２４５が切欠部２２２を挿通可能な挿通可能位置となったときに逆行防止突部２２４のスライド封印部材のスライド可能な方向に対して緩やかな傾斜を有する面と、スライド不能な方向に対して急激な傾斜を有する面と、の間に逆行防止フック２３８が位置して、係合状態を形成するような大きさで逆行防止突部２２４が形成される。
【００９３】
また、スライド封印部材２２０からボックス状主体１９０の外側面に向かって突設する板状部２２１の複数箇所に切欠部２２２が形成される。この実施の形態では、図８（Ａ）に示すようにスライド封印部材２２０の板状部２２１に同一の間隔を有するように４つの切欠部２２２が形成されている。また、各切欠部２２２の間にはスライド封印部材２２０の板状部２２１の外側面から外側に突設された人為的に切除可能なスライド切除部２２３が設けられている。また、スライド切除部２２３には、その表面にスライド封印部材２２０のスライド可能な方向から順に「１」〜「４」という刻印が形成されている。上述したように、この実施の形態では、スライド封印部材２２０が一方向にのみスライド可能な状態でボックス状主体１９０に取り付けられる。また、この実施の形態では、図８（Ａ）および図９（Ａ）に示すように、スライド封印部材２２０を図示左方向にのみスライド可能となるように逆行防止フック２３８および逆行防止突部２２４が形成され、切欠部２２２に対してスライド封印部材２２０のスライド可能な方向側にスライド切除部２２３が突設される。すなわち、スライド切除部２２３が突設される板状部２２１それぞれの間に切欠部２２２が形成される。例えば、「１」の刻印が形成されたスライド切除部２２３が突設される板状部２２１と、「２」の刻印が形成されたスライド切除部２２３が突設される板状部２２１と、の間に切欠部２２２が形成され、この切欠部２２２は、「１」の刻印が形成されたスライド切除部２２３を切除してスライド封印部材２２０をスライドさせたときに開放防止突起２４５が挿通可能となる挿通可能位置となるものである。
【００９４】
また、図８（Ａ）に示すようにカバー体２１０に設けられる開放防止突起２４５の上方には上述したスライド防止突起２４６が突設されている。また、図８（Ｂ）に示すようにボックス状主体１９０とカバー体２１０とを組み合わせたときに、開放防止突起２４５はスライド封印部材２２０からボックス状主体１９０の外側面に向かって突設する板状部２２１の下方となる位置に、スライド防止突起２４６は板状部２２１の上方となる位置に、それぞれ突設されている。また、図９（Ａ）に示すように、開放防止突起２４５およびスライド防止突起２４６のカバー体２１０の幅方向（図９（Ａ）の図示左右方向）の位置は異なるように突設される。すなわち、開放防止突起２４５およびスライド防止突起２４６のカバー体２１０の幅方向の位置を同じとなるように突設してしまうとスライド封印部材２２０をスライドさせて切欠部２２２が挿通可能位置に位置するときに切欠部２２２から開放防止突起２４５を視認することができない。従って、本実施形態のように開放防止突起２４５およびスライド防止突起２４６のカバー体２１０の幅方向の位置を異ならせることにより切欠部２２２から開放防止突起２４５が視認できたときに切欠部２２２を挿通可能位置にすることができ、ボックス状主体１９０とカバー体２１０との開封作業が容易になる。
【００９５】
遊技場等で主基板ボックス１５０を主基板１５１の検査（出荷納入後にＲＯＭが正規のものか否かを検査する）のために開封するときには、スライド封印部材２２０をスライドして開放防止突起２４５がスライド封印部材２２０からボックス状主体１９０の外側面に向かって突設した板状部２２１の切欠部２２２ではない部分に覆われる封止状態で、開放防止突起２４５が切欠部２２２を挿通可能な位置までスライド封印部材２２０をスライドさせようとしても板状部２２１の上部に突設するスライド切除部２２３と、カバー体２１０の外側面に突設するスライド防止突起２４６と、が当接してスライド封印部材２２０のさらなるスライドが規制される。ところが、板状部２２１に突設するスライド切除部２２３の断面形状は、図８（Ａ）に示すように板状部２２１に近い側では他の部分に比べて細くなるように形成され、人為的に切除可能である。例えば、図８（Ａ）の図示左右方向に押圧することによりスライド切除部２２３の根元（スライド封印部材２２０の板状部２２１に近い側に応力が集中し、スライド切除部２２３を根元から折ることにより切除できる。このように、スライド防止突起２４６と当接するスライド切除部２２３を切除することにより規制が解除されて開放防止突起２４５が切欠部２２２を挿通可能な位置となるまでスライド封印部材２２０をスライドさせることができる。すなわち、ボックス状主体１９０とカバー体２１０とを分離できる。
【００９６】
なお、この実施の形態では、スライド切除部２２３の根元から１〜２ｍｍ程度の部位を他の部位よりも細くし、それより外側を根元部より太くした断面形状のスライド切除部２２３とすることにより、スライド切除部２２３を側方より押圧したときに細い根元部に応力が集中し、根元部を容易に折ることができるように構成しているが、スライド切除部２２３の断面形状はこれに限らず、人為的に切除可能であればよい。例えば、スライド切除部２２３の断面形状を板状部２２１に近い側から外側（板状部２２１から遠い側）に向かうにしたがって広がった形状とすることにより、スライド切除部２２３の根元部（板状部２２１に近い側）を他の部分よりも細く形成し、側方から押圧したときに応力が根元部に集中するように構成してもよい。
【００９７】
また、この実施の形態では、スライド封印部材２２０の一部を他の部分に比べて厚みが薄くなるように形成した脆弱部２２５を有する。脆弱部２２５を他の部分よりも厚みを薄く形成するため、スライド封印部材２２０を切断可能となり、スライド封印部材２２０の脆弱部２２５を切断することによりレール沿設部２３５の上側突起２３６および下側突起２３７と、スライド封印部材２２０の中空部の内側面と、による係合状態を解除させやすくなる。すなわち、スライド封印部材２２０をレール沿設部２３５から取り外しやすくなり、スライド封印部材２２０を交換することにより主基板ボックス１５０を再利用できるとともに、スライド封印部材２２０の交換作業が容易になる。
【００９８】
また、ボックス状主体１９０とカバー体２１０とを組み合わせるときには、ボックス状主体１９０と、カバー体２１０と、を組み合わせた状態でレール沿設部２３５の側方からスライド封印部材２２０を挿入することにより上述したボックス状主体１９０とカバー体２１０とを係止する操作を行う。そして、スライド封印部材２２０をスライドすることにより、開放防止突起２４５の図示上方に板状部２２１の切欠部２２２ではない部分が位置する封止状態とすることによりボックス状主体１９０とカバー体２１０とを係合し、主基板ボックス１５０により主基板１５１を封止することができる。
【００９９】
すなわち、図９に示すように、ボックス状主体１９０と、カバー体２１０と、を組み合わせた状態で（図９（Ａ））、レール沿設部２３５の側方（この例では、レール沿設部２３５の右側方）からスライド封印部材２２０を挿入して、スライド封印部材２２０の中空部に上側突起２３６および下側突起２３７を挿入する（図９（Ｂ））。そして、スライド封印部材２２０からボックス状主体１９０の外側面に向かって突設する板状部２２１の下方（図９（Ｃ）にて図示奥方向）に開放防止突起２４５が位置するまでスライド封印部材２２０をスライド可能な方向（この実施の形態では、図９（Ｃ）にて図示左方向）にスライドする。スライド封印部材２２０を板状部２２１の下方に開放防止突起２４５が位置するまでスライドすることによりボックス状主体１９０とカバー体２１０とを分離しようとしても開放防止突起２４５が板状部２２１の下側面に当接し、開封可能状態とすることができない封止状態となる（図９（Ｃ））。
【０１００】
なお、図９（Ｃ）でスライド封印部材２２０の板状部２２１に突設するスライド切除部２２３と、カバー体２１０の外側面に突設するスライド防止突起２４６と、が当接する位置にスライド封印部材２２０が停止している場合には、スライド封印部材２２０をさらにスライド可能な方向、すなわち、図示左方向にスライドさせようとしてもスライド切除部２２３とスライド防止突起２４６とが係合し、スライド封印部材２２０をスライドさせることができない。そのため、スライド防止突起２４６に当接するスライド切除部２２３を切除することによりスライド防止突起２４６と、スライド切除部２２３と、の係止状態を解除することによりスライド封印部材２２０をスライド可能とすることができる（図９（Ｄ））。図９では、図９（Ｃ）でスライド防止突起２４６に当接している「１」の刻印が形成されたスライド切除部２２３を図９（Ｄ）にて切除することにより、「１」の刻印が形成されたスライド切除部２２３と、スライド防止突起２４６と、の係合状態を解除し、スライド封印部材２２０をスライド可能にする。「１」の刻印が形成されたスライド切除部２２３を切除することにより、「２」の刻印が形成されたスライド切除部２２３が突設する板状部２２１のスライド可能な方向側（図９（Ｄ）において図示左方向）に位置する切欠部２２２を挿通可能位置にさせることが可能となる。
【０１０１】
そして、スライド封印部材２２０をスライド可能な方向にスライドさせて、切欠部２２２を開放防止突起２４５の上方（図９（Ｅ）にて図示手前側）に位置させて、切欠部２２２から開放防止突起２４５を視認可能な挿通可能位置とすることにより、ボックス状主体１９０とカバー体２１０とを分離可能な状態となる。すなわち、カバー体２１０を上方（図９（Ｅ）にて図示手前方向）に持ち上げることにより開放防止突起２４５を切欠部２２２から挿通させて板状部２２１の上方（図９（Ｅ）にて図示手前方向）に位置させることにより、開放防止突起２４５と、スライド封印部材２２０からボックス状主体１９０の外側面に向かって突設する板状部２２１の切欠部２２２ではない部分と、の係合状態を解除し、ボックス状主体１９０とカバー体２１０とを分離可能な開封可能状態となる。
【０１０２】
また、上述したように、この実施の形態では、スライド封印部材２２０をスライドさせて切欠部２２２が所定の位置となったときにスライド封印部材２２０を停止させるように構成されている。すなわち、図９（Ｃ）にて板状部２２１の切欠部２２２ではない部分の下方（奥方）に開放防止突起２４５が位置する封止状態、および、図９（Ｅ）にて板状部２２１に形成された切欠部２２２の下方（奥方）に開放防止突起２４５が位置して切欠部２２２から開放防止突起２４５が視認可能な開封可能状態、にてスライド封印部材２２０を停止させるような大きさの逆行防止突部２２４が形成されている。このように構成することにより、開封可能状態におけるボックス状主体１９０とカバー体２１０との取外し作業を容易にすることができる。
【０１０３】
また、「１」の刻印が形成されたスライド切除部２２３を切除した後にスライド封印部材２２０をスライドすることなく図９（Ｅ）の位置に停止させ、再びボックス状主体１９０とカバー体２１０とを組み合わせるときに「２」の刻印が形成されたスライド切除部２２３が突設する板状部２２１の図示左側に位置する切欠部２２２から開放防止突起２４５を挿通させた後、スライド封印部材２２０を図示左方向にスライドして開放防止突起２４５が板状部２２１の切欠部２２２ではない部分に覆われる封止状態となる。その後、再び開封可能状態とする場合には、「２」の刻印が形成されたスライド切除部２２３を切除してスライド封印部材２２０をスライド可能な状態にし、「３」の刻印が形成されたスライド切除部２２３が突設する板状部２２１の図示左側に位置する切欠部２２２を挿通可能位置に移動させることによりボックス状主体１９０とカバー体２１０とを分離可能な開封可能状態とすることができる。
【０１０４】
なお、この実施の形態では、ボックス状主体１９０とカバー体２１０とを分離可能な開封可能状態にするときに数が小さい刻印が形成されたスライド切除部２２３から順に切除する構成としているが、開放防止突起２４５の上方（図９（Ｃ）にて図示手前側）に位置する板状部２２１にスライド切除部２２３が切除されていない状態で突設する位置にスライド封印部材２２０を停止させていればスライド切除部２２３を切除する順序は問わない。しかし、刻印に応じた順序でスライド切除部２２３を切除することによりスライド切除部２２３の切除回数、すなわち、ボックス状主体１９０とカバー体２１０との分離回数を明確にすることができるとともに、ボックス状主体１９０とカバー体２１０とを組み合わせるときに開放防止突起２４５を切欠部２２２から挿通させてスライド封印部材２２０の板状部２２１の下方（図９（Ｅ）にて奥方）に位置させた後、同一の操作（例えば、スライド封印部材２２０を１回だけ（逆行防止突部２２４と係合している逆行防止フック２３８がスライド封印部材２２０をスライドすることにより次の逆行防止突部２２４と係合するまで）スライド）を行えばよいため、主基板ボックス１５０を開封する操作および封止する操作が容易になる。
【０１０５】
このようにしてボックス状主体１９０とカバー体２１０とを分離した後、再び切欠部２２２から開放防止突起２４５を挿通させ、スライド封印部材２２０をスライド可能な方向にスライドすることによりボックス状主体１９０とカバー体２１０とを封止状態とすることができる。なお、この実施の形態では、スライド封印部材２２０からボックス状主体１９０の外側面に向かって突設する板状部２２１には、４つのスライド切除部２２３と、４つのスライド切除部と、が交互に設けられている。そして、図９（Ａ）〜図９（Ｅ）の操作を行ってボックス状主体１９０とカバー体２１０とを分離した後、再びボックス状主体１９０とカバー体２１０とを組み合わせて封印状態とする動作を４回行うことによりスライド切除部２２３全てが切除された状態となり、スライド封印部材２２０のスライドを規制できない状態となる。すなわち、ボックス状主体１９０とカバー体２１０とを封止状態とすることができなくなる。
【０１０６】
なお、スライド封印部材２２０の板状部２２１に突設するスライド切除部２２３および切欠部２２２の個数を増やすことも容易に実施し得る。その際には、スライド封印部材２２０に設ける逆行防止突部２２４の数は切欠部２２２およびスライド切除部２２３の数の２倍の数とし、各切欠部２２２を開放防止突起２４５が挿通可能な位置、挿通不能な位置でスライド封印部材２２０を停止できる位置に配置すればよい。
【０１０７】
また、スライド封印部材２２０がボックス状主体１９０およびカバー体２１０とは別個に形成されるため、スライド封印部材２２０の脆弱部２２５をニッパー等の工具で切断することによりレール沿設部２３５から取り外し、新たなスライド封印部材２２０をレール沿設部２３５のスライド不能な側（図９（Ａ）にて図示右側）から挿入することにより、ボックス状主体１９０およびカバー体２１０とを再利用できる。
【０１０８】
なお、この実施の形態では、レール沿設部２３５の一側端が突出片部２０８に当接するように構成され、スライド封印部材２２０スライド封印部材２２０の脆弱部２２５を切断することによりスライド封印部材２２０をレール沿設部２３５から取り外す構成としているが、スライド封印部材２２０を切断することなく、レール沿設部２３５の一側端からスライド封印部材２２０を取り外し可能となるように主基板ボックス１５０を構成してもよい。例えば、突出片部２０８、前方突出片２０９、係合突片２１７を主基板ボックス１５０の内側面から内側方向に突出するように形成することにより、レール沿設部２３５の両側端が開放されるように構成してもよく、また、レール沿設部２３５の上側突起２３６および下側突起２３７、若しくはレール沿設部２３５を所定の位置から形成しないように、すなわち、スライド封印部材２２０の「４」の刻印が形成されたスライド切除部２２３を切除した後にスライド封印部材２２０をスライドさせて、切欠部２２２が開封可能位置に到達する位置（スライド封印部材２２０が突出片部２０８に当接する位置）のレール沿設部２３５の上側突起２３６および下側突起２３７、若しくはレール沿設部２３５を形成しないように構成することにより、スライド封印部材２２０をレール沿設部２３５のスライド可能な方向にスライドさせてレール沿設部２３５の一側端から取り外すことが可能となり、スライド封印部材２２０の交換作業にニッパー等の工具を必要としないため、作業が容易になる。
【０１０９】
また、主基板ボックス１５０の封止状態においては、スライド封印部材２２０の所定の部位（本実施形態の場合にはスライド切除部２２３）を切除しない限り、主基板ボックス１５０を開放できないようになっている。従って、主基板１５１の検査以外でスライド切除部２２３が切除されるような場合は、この切除により主基板１５１に不正が行われたことが即座に且つ確実に判別できるため、主基板ボックス１５０の防犯効果を高めることができる。
【０１１０】
また、この実施の形態では、レール沿設部２３５をボックス状主体１９０の外側面に突出形成させ、ボックス状主体１９０と一体的に形成されるが、ボックス状主体１９０の内側から一方向にのみ回転可能に構成されて取り外し不能なワンウェイネジ等によりレール沿設部２３５をボックス状主体１９０に螺着するように構成してもよい。この場合には、レール沿設部２３５を取り付ける位置に位置決め突起と位置決め穴とを設け、位置決めした後に螺着することが望ましい。このように構成することにより、ボックス状主体１９０の成型が容易になる。
【０１１１】
また、この実施の形態では、ボックス状主体１９０にレール沿設部２３５を突設し、スライド封印部材２２０をボックス状主体１９０に取り付けるように構成しているが、レール沿設部２３５をカバー体２１０に突設することによりカバー体２１０にスライド封印部材２２０を取り付けるように構成してもよい。この場合には、開放防止突起２４５および／または、スライド防止突起２４６をボックス状主体１９０に突設するように構成してもよい。しかし、この実施の形態のようにボックス状主体１９０にレール沿設部２３５を突設することには以下のような利点がある。すなわち、一般的に、主基板１５１を支持するボックス状主体１９０はＩＣ等を実装した基板を収容するためにカバー体２１０に比べて厚み（深さ）が大きく、スライド封印部材２２０を取り付けたとしてもスライド封印部材２２０の大きさ（外径）にあわせてさらに厚くする必要がない。そのため、ボックス状主体１９０にスライド封印部材２２０を取り付けたことにより主基板ボックス１５０全体の厚みを増大させることなく主基板ボックス１５０を成型できる。
【０１１２】
また、上記した実施形態では、基板収容ボックスとして、遊技動作を制御する主基板１５１を収容するものを示したが、他の制御基板、例えば、ランプドライバ基板８０、音声出力基板８２、払出制御基板３６、電源ユニット基板１３７、等を収容する基板ボックスに本発明の構成を適用しても良い。また、基板収容ボックスは、主体と蓋体とでコネクタ以外の回路基板の全域（例えば、電子部品の実装面、ハンダ面、コネクタのパターン面）を覆うものであれば良く、例えば、コネクタ貫通穴のクリアランスや放熱穴との極めて小さな開口が形成されていてもよい。したがって、コネクタ以外のグランドラインの一部やパターンが形成されていない基板の一部が多少ボックスから外部に露出していても、肝心のデータ線のパターンや実装部品が露出していなければ良い。なお、基板収容ボックスに収容される回路基板に設けられるコネクタの数も単数でも複数でも良い。
【図面の簡単な説明】
【０１１３】
【図１】本実施形態に係る弾球遊技機を示す正面図である。
【図２】弾球遊技機を示す背面図である。
【図３】主基板と各種制御基板および電気部品との関係を示すブロック図である。
【図４】機構板の下部構成部の背面から見て左側部分に取り付けられる電源ユニットおよび主基板ボックスの取付状態を示す斜視図である。
【図５】主基板ボックスの分解斜視図である。
【図６】主基板ボックスを示す正面図である。
【図７】主基板ボックスを構成するボックス状主体とカバー体との係合を説明するための断面図である。
【図８】（Ａ）スライド封印部材２２０をボックス状主体１９０に取り付けていない状態で側方から見た断面図、（Ｂ）スライド封印部材２２０をボックス状主体１９０に取り付けた状態で一側方から見た断面図、である。
【図９】スライド封印部材の封印状態および開封可能状態を示す説明図である。
【符号の説明】
【０１１４】
１        弾球遊技機（遊技機）
９        遊技盤
１５０    主基板ボックス
１５１    主基板
１６０    横架突出板
１６１    補強リブ
１６２    挿入溝
１６３    規制突起
１６４    係合爪
１６５    Ｌ字状突起板
１６６    挿入溝
１６７    係合穴
１９０    ボックス状主体
１９１    底面板
１９２    位置決め突起
１９３    取付ボス
１９４    支持突起
１９５    係合段差溝
２０５    係合突起
２０６    係止レバー
２０７    係止爪
２０８    突出片部
２０９    前方突出片
２１０    カバー体
２２０    スライド封印部材
２２１    板状部
２２２    切欠部
２２３    スライド切除部
２２４    逆行防止突部
２２５    脆弱部
２３５    レール沿設部
２３６    上側突起
２３７    下側突起
２３８    逆行防止フック
２３９    たわみ溝
２４５    開放防止突起
２４６    スライド防止突起
２５０    取付台
【図１】
2006000231.tif 000003
【図２】
2006000231.tif 000004
【図３】
2006000231.tif 000005
【図４】
2006000231.tif 000006
【図５】
2006000231.tif 000007
【図６】
2006000231.tif 000008
【図７】
2006000231.tif 000009
【図８】
2006000231.tif 000010
【図９】
2006000231.tif 000011